(57)【要約】【課題】医療用ガスの多くが患者に取り込まれないで外気に逃げてしまう。【解決手段】本発明の生体用医療用ガス供給装置は、耳に装着される本体部と、本体部に医療用ガスを供給する医療用ガス供給部とを備え、本体部は、耳の内部に連通し且つ外気と仕切られた空間を形成するように耳に装着され、医療用ガス供給部から空間内に供給された医療用ガスが、耳の内部に供給される。【選択図】図３
2018114234.tif 000002
【特許請求の範囲】
【請求項１】
耳に装着される本体部と、
上記本体部に医療用ガスを供給する医療用ガス供給部とを備え、
上記本体部は、耳の内部に連通し且つ外気と仕切られた空間を形成するように耳に装着され、
上記医療用ガス供給部から上記空間内に供給された医療用ガスが、耳の内部に供給されることを特徴とする生体用医療用ガス供給装置。
【請求項２】
上記本体部は、上記空間内の圧力が所定圧力以上になったときに上記空間内の医療用ガスを外部に逃がす逃がし弁を有することを特徴する請求項１に記載の生体用医療用ガス供給装置。
【請求項３】
上記医療用ガスは水素ガスであることを特徴する請求項１または２に記載の生体用医療用ガス供給装置。
【請求項４】
上記医療用ガス供給部は、上記本体内において水素ガスを発生する水素発生部材であることを特徴する請求項３に記載の生体用医療用ガス供給装置。
【請求項５】
上記本体部は、耳を覆うように耳に装着されることを特徴する請求項１−４に記載の生体用医療用ガス供給装置。
【請求項６】
上記本体部は、耳の内部に挿入されることにより耳に装着されることを特徴する請求項１−４に記載の生体用医療用ガス供給装置。
【発明の詳細な説明】
【技術分野】
【０００１】
本発明は、例えば、水素ガスや酸素ガス等の医療用ガスを患者に供給する生体用医療用ガス供給装置に関する。
【背景技術】
【０００２】
従来から、水素ガスや酸素ガス等の医療用ガスを鼻カニューラにより患者に供給する技術が知られている。医療用ガスを供給するための鼻カニューラは、その端部が患者の鼻に挿入され、その端部から吐出された医療用ガスが患者の呼吸により取り込まれる。
【先行技術文献】
【特許文献】
【０００３】
【特許文献１】特開２０１４−９５１１５
【発明の概要】
【発明が解決しようとする課題】
【０００４】
しかし、鼻カニューラの端部から吐出された医療用ガスの多くは、患者の呼吸により取り込まれないで、外気に逃げてしまう問題がある。
【０００５】
そこで、本発明の目的は、医療用ガスを効率的に患者に供給できる生体用医療用ガス供給装置を提供することである。
【課題を解決するための手段】
【０００６】
第１の発明にかかる生体用医療用ガス供給装置は、耳に装着される本体部と、上記本体部に医療用ガスを供給する医療用ガス供給部とを備え、上記本体部は、耳の内部に連通し且つ外気と仕切られた空間を形成するように耳に装着され、上記医療用ガス供給部から上記空間内に供給された医療用ガスが、耳の内部に供給されることを特徴とする。
【０００７】
この生体用医療用ガス供給装置では、本体部が耳に装着され、その本体部において外気と仕切られた空間内に医療用ガスが供給されると、その医療用ガスが耳の内部に供給される。したがって、医療用ガス供給部から本体部に供給された医療用ガスが外気に逃げるのが抑制され、医療用ガスの供給量を低減できる。また、医療用ガスを脳に近い耳から供給することにより、医療用ガスを効率的に脳に供給できる。
【０００８】
第２の発明にかかる生体用医療用ガス供給装置は、第１の発明において、上記本体部は、上記空間内の圧力が所定圧力以上になったときに上記空間内の医療用ガスを外部に逃がす逃がし弁を有することを特徴する。
【０００９】
この生体用医療用ガス供給装置では、空間内の圧力が所定圧力以上になったときに、空間内の医療用ガスを外部に逃がすことにより、空間内の圧力が高くなるのを防止できる。
【００１０】
第３の発明にかかる生体用医療用ガス供給装置は、第１または第２の発明において、上記医療用ガスは水素ガスであることを特徴とする。
【００１１】
この生体用医療用ガス供給装置では、水素ガスが抗酸化作用とそれに伴う抗炎症効果を持つことから、患者の発作を抑制するとともに患者の病態を改善できる。
【００１２】
第４の発明にかかる生体用医療用ガス供給装置は、第３の発明において、上記医療用ガス供給部は、上記本体内において水素ガスを発生する水素発生部材であることを特徴する。
【００１３】
この生体用医療用ガス供給装置では、本体内に配置された水素発生部材により水素ガスを発生することにより、医療用ガス供給部が本体の外部に配置される場合と比べ、装置を小型化できる。
【００１４】
第５の発明にかかる生体用医療用ガス供給装置は、第１−第４のいずれかの発明において、上記本体部は、耳を覆うように耳に装着されることを特徴する。
【００１５】
この生体用医療用ガス供給装置では、本体部が耳を覆うように耳に装着され、本体部に供給された医療用ガスが外気に逃げるのを効果的に防止できる。また、本体部が耳を覆うように耳に装着され、装着時の違和感がない。また、本体部が耳を覆うように装着され、空間を確保できるので、医療用ガスによる圧力の上昇を抑え、逃がし弁の作動回数を減らすことができる。
【００１６】
第６の発明にかかる生体用医療用ガス供給装置は、第１−第４のいずれかの発明において、上記本体部は、耳の内部に挿入されることにより耳に装着されることを特徴する。
【００１７】
この生体用医療用ガス供給装置では、本体部が耳の内部に挿入されることにより耳に装着され、本体部に供給された医療用ガスが外気に逃げるのを効果的に防止できる。
【発明の効果】
【００１８】
以上の説明に述べたように、本発明によれば、以下の効果が得られる。
【００１９】
第１の発明では、本体部が耳に装着され、その本体部において外気と仕切られた空間内に医療用ガスが供給されると、その医療用ガスが耳の内部に供給される。したがって、医療用ガス供給部から本体部に供給された医療用ガスが外気に逃げるのが抑制され、医療用ガスの供給量を低減できる。また、医療用ガスを脳に近い耳から供給することにより、医療用ガスを効率的に脳に供給できる。
【００２０】
第２の発明では、空間内の圧力が所定圧力以上になったときに、空間内の医療用ガスを外部に逃がすことにより、空間内の圧力が高くなるのを防止できる。
第３の発明では、水素ガスが抗酸化作用とそれに伴う抗炎症効果を持つことから、患者の発作を抑制するとともに患者の病態を改善できる。
第４の発明では、本体内に配置された水素発生部材により水素ガスを発生することにより、医療用ガス供給部が本体の外部に配置される場合と比べ、装置を小型化できる。
【００２１】
第５の発明では、本体部が耳を覆うように耳に装着され、本体部に供給された医療用ガスが外気に逃げるのを効果的に防止できる。また、本体部が耳を覆うように耳に装着され、装着時の違和感がない。また、本体部が耳を覆うように装着され、空間を確保できるので、医療用ガスによる圧力の上昇を抑え、逃がし弁の作動回数を減らすことができる。
第６の発明では、本体部が耳の内部に挿入されることにより耳に装着され、本体部に供給された医療用ガスが外気に逃げるのを効果的に防止できる。
【図面の簡単な説明】
【００２２】
【図１】本発明の第１実施形態にかかる生体用水素ガス供給装置の構成図である。
【図２】水素発生装置の構成を説明する図である。
【図３】図１の本体部が患者の耳を覆うように装着された状態を示す図である。
【図４】本発明の第２実施形態にかかる生体用水素ガス供給装置の構成図である。
【図５】図４の本体部が患者の耳の内部に装着された状態を示す図である。
【図６】本発明の第３実施形態にかかる生体用水素ガス供給装置の本体部が患者の耳を覆うように装着された状態を示す図である。
【図７】図６の水素発生部材の構成を示す図である。
【図８】本発明の第４実施形態にかかる生体用水素ガス供給装置の本体部が患者の耳の内部に装着された状態を示す図である。
【発明を実施するための形態】
【００２３】
（第１実施形態）
以下、図面を参照しつつ本発明の第１実施形態にかかる生体用水素ガス供給装置について説明する。
【００２４】
本実施形態の生体用水素ガス供給装置１は、図１に示すように、耳に装着される２つの本体部２と、２つの本体部２に水素ガスを供給する水素供給部３とを備える。２つの本体部２は、湾曲した支持部材２ａの両端にそれぞれ支持される。したがって、２つの本体部２が患者の耳に装着されると、２つの本体部は患者の耳に近づく方向に押圧される。水素供給部３は、水素発生装置３ａと、２つの本体部２と水素発生装置３ａとを接続した接続管３ｂとを有する。水素発生装置３ａは、図２に示すように、水の内部に配置された２つ電極３ａａ、３ａｂと、イオン交換膜３ａｃとを有する。水素発生装置３ａでは、イオン交換膜３ａｃをセパレータとし、２つの電極３ａａ、３ａｂを使用して直流電流を流し、電解用の水を電気分解することにより、マイナス側の電極から水素ガスを発生させる。
【００２５】
２つの本体部２は、図３に示すように、患者の両耳をそれぞれ覆うように耳に装着される。図３では、本体部２が患者の片方の耳を覆うように装着された状態を示している。本体部２が耳に装着されると、耳に近づく方向に押圧されることにより、外気と仕切られた空間５を形成する。空間５は、耳の内部に連通し、空間５と連通した接続管３ｂを介して水素ガスが供給される。したがって、水素発生装置３ａからの水素ガスは、接続管３ｂにより、空間５内に供給された後、耳の内部に供給される。
【００２６】
本体部２は、空間５内の圧力が所定圧力以上になったときに、空間５内の水素ガスを外部に逃がす逃がし弁６を有する。逃がし弁６は、空間５内の圧力が所定圧力より小さい場合、閉鎖状態となり、空間５内の圧力が所定圧力以上になった場合、開放状態となる。したがって、空間５内の圧力は、所定圧力以下の圧力に維持される。本発明において、逃がし弁６の所定圧力は、例えば、100kPaの圧力である。
【００２７】
＜本実施形態の生体用水素ガス供給装置の特徴＞
本実施形態の生体用水素ガス供給装置１には、以下の特徴がある。
【００２８】
本実施形態の生体用水素ガス供給装置１では、本体部２が耳に装着され、本体部２において外気と仕切られた空間５内に水素ガスが供給されると、その水素ガスが耳の内部に供給される。したがって、水素供給部３から本体部２に供給された水素ガスが外気に逃げるのが抑制され、水素ガスの供給量を低減できる。また、水素ガスを脳に近い耳から供給することにより、水素ガスを効率的に脳に供給できる。
【００２９】
本実施形態の生体用水素ガス供給装置１では、本体部２が、空間５内の圧力が所定圧力以上になったときに、空間５内の水素ガスを外部に逃がす弁６を有することにより、空間５内の圧力が高くなるのを防止できる。また、水素ガスが抗酸化作用とそれに伴う抗炎症効果を持つことから、患者の発作を抑制するとともに患者の病態を改善できる。
【００３０】
本実施形態の生体用水素ガス供給装置１では、本体部２が、耳を覆うように耳に装着され、本体部２に供給された水素ガスが外気に逃げるのを効果的に防止できる。また、本体部２が耳を覆うように耳に装着され、本体部が耳の内部に挿入されることにより耳に装着される場合と比べ、外からの音が聞こえやすく、装着時の違和感がない。また、本体部２が耳を覆うように装着され、空間を確保できるので、本体部が耳の内部に挿入されることにより耳に装着される場合と比べ、水素ガスによる圧力の上昇を抑え、逃がし弁６の作動回数を減らすことができる。
【００３１】
（第２実施形態）
本発明の第２実施形態にかかる生体用水素ガス供給装置について説明する。
【００３２】
第１実施形態の生体用水素ガス供給装置１では、本体部２が耳を覆うように耳に装着されるのに対し、本実施形態の生体用水素ガス供給装置１０１では、本体部１２が耳の内部に挿入されることにより耳に装着される点で異なる。本実施形態の生体用水素ガス供給装置１０１の他の構成は、第１実施形態の生体用水素ガス供給装置１と同様であることから詳細説明は省略する。
【００３３】
本実施形態の生体用水素ガス供給装置１０１は、図４に示すように、耳に装着される２つの本体部１２と、２つの本体部１２に水素ガスを供給する水素供給部３とを備える。
【００３４】
２つの本体部１２は、図５に示すように、患者の両耳の内部に挿入されることにより耳に装着される。図５では、本体部１２が患者の片方の耳の内部に挿入されることにより装着された状態を示している。本体部１２が耳に装着されると、耳の内部に嵌ることにより、外気と仕切られた空間５を形成する。空間５は、耳の内部に連通し、空間５と連通した接続管３ｂを介して水素ガスが供給される。したがって、水素発生装置３ａからの水素ガスは、接続管３ｂにより、空間５内に供給された後、耳の内部に供給される。
【００３５】
本体部１２は、空間５内の圧力が所定圧力以上になったときに、空間５内の水素ガスを外部に逃がす逃がし弁６を有する。逃がし弁６は、空間５内の圧力が所定圧力より小さい場合、閉鎖状態となり、空間５内の圧力が所定圧力以上になった場合、開放状態となる。したがって、空間５内の圧力は、所定圧力以下の圧力に維持される。
【００３６】
＜本実施形態の生体用水素ガス供給装置の特徴＞
本実施形態の生体用水素ガス供給装置１０１には、以下の特徴がある。
【００３７】
本実施形態の生体用水素ガス供給装置１０１では、第１実施形態と同様の効果が得られる。
【００３８】
本実施形態の生体用水素ガス供給装置１０１では、本体部１２が耳の内部に挿入されることにより耳に装着され、本体部１２に供給された水素ガスが外気に逃げるのを効果的に防止できる。
【００３９】
（第３実施形態）
本発明の第３実施形態にかかる生体用水素ガス供給装置について説明する。
【００４０】
第１実施形態の生体用水素ガス供給装置１では、本体部２の外部にある水素供給部３で発生された水素ガスが本体部２に供給されるの対し、本実施形態の生体用水素ガス供給装置２０１では、
本体部内にある水素供給部１３で発生された水素ガスが本体部に供給される点で異なる。本実施形態の生体用水素ガス供給装置２０１の他の構成は、第１実施形態の生体用水素ガス供給装置１と同様であることから詳細説明は省略する。
【００４１】
本実施形態の生体用水素ガス供給装置２０１は、耳に装着される２つの本体部２と、２つの本体部２に水素ガスを供給する水素供給部１３とを備える。２つの本体部２は、湾曲した支持部材２ａの両端にそれぞれ支持される。したがって、２つの本体部２が患者の耳に装着されると、２つの本体部は患者の耳に近づく方向に押圧される。
【００４２】
２つの本体部２は、図６に示すように、患者の両耳をそれぞれ覆うように耳に装着される。図６では、本体部２が患者の片方の耳を覆うように装着された状態を示している。本体部２が耳に装着されると、耳に近づく方向に押圧されることにより、外気と仕切られた空間５を形成する。空間５は、耳の内部に連通し、その内部には、水素供給部１３が取り付けられる。水素供給部１３は、本体２内において水素ガスを発生する水素発生部材である。
【００４３】
図７に示すように、水素供給部１３（水素発生部材）は、金属マグネシウムなど水素発生材１３ａと、水１３ｂとが封入されたカートリッジ１３ｃで構成される。カートリッジ１３ｃの外周部は、ガス透過膜１３ｃａで形成され、カートリッジ１３ｃの内部には、隔膜１３ｃｂが取り付けられる。したがって、カートリッジ１３ｃの内部において、水素発生材１３ａと、水１３ｂとは、隔膜１３ｃｂにより混合されないように構成される。水素供給部１３（水素発生部材）において、水素ガスを発生させる場合、図８に示すように、矢印の方向に応力をかけるとカートリッジ１３ｃ内の隔膜１３ｃｂが割れて、金属マグネシウムなどの水素発生材１３ａと水１３ｂが反応して水素ガスを発生する。したがって、水素供給部１３が本体２内に取り付けられる場合、カートリッジ１３ｃ内の隔膜１３ｃｂが割れて、金属マグネシウムなどの水素発生材１３ａと水１３ｂが反応して水素ガスを発生させた後で取り付けられる。したがって、水素供給部１３により発生した水素ガスは、空間５内に供給された後、耳の内部に供給される。
【００４４】
本体部２は、空間５内の圧力が所定圧力以上になったときに、空間５内の水素ガスを外部に逃がす逃がし弁６を有する。逃がし弁６は、空間５内の圧力が所定より小さい場合、閉鎖状態となり、空間５内の圧力が所定圧力以上になった場合、開放状態となる。したがって、空間５内の圧力は、所定圧力以下の圧力に維持される。
【００４５】
＜本実施形態の生体用水素ガス供給装置の特徴＞
本実施形態の生体用水素ガス供給装置２０１には、以下の特徴がある。
【００４６】
本実施形態の生体用水素ガス供給装置２０１では、第１実施形態の生体用水素ガス供給装置と同様の効果が得られる。
【００４７】
本実施形態の生体用水素ガス供給装置２０１では、本体２内に配置された水素供給部１３により水素ガスを発生することにより、水素供給部が本体２の外部に配置される場合と比べ、装置を小型化できる。
【００４８】
（第４実施形態）
本発明の第４実施形態にかかる生体用水素ガス供給装置について説明する。
【００４９】
第３実施形態の生体用水素ガス供給装置２０１では、本体部２が耳を覆うように耳に装着されるのに対し、本実施形態の生体用水素ガス供給装置３０１では、本体部１２が耳の内部に挿入されることにより耳に装着される点で異なる。本実施形態の生体用水素ガス供給装置３０１の他の構成は、第３実施形態の生体用水素ガス供給装置２０１と同様であることから詳細説明は省略する。
【００５０】
本実施形態の生体用水素ガス供給装置３０１は、耳に装着される２つの本体部１２と、２つの本体部１２に水素ガスを供給する水素供給部１３とを備える。
【００５１】
２つの本体部１２は、図８に示すように、患者の両耳の内部に挿入されることにより耳に装着される。図８では、本体部１２が患者の片方の耳の内部に挿入されることにより装着された状態を示している。本体部１２が耳に装着されると、耳の内部に嵌ることにより、外気と仕切られた空間５を形成する。空間５は、耳の内部に連通し、その内部には、水素供給部１３が取り付けられる。水素供給部１３は、本体２内において水素ガスを発生する水素発生部材である。
【００５２】
本体部１２は、空間５内の圧力が所定圧力以上になったときに、空間５内の水素ガスを外部に逃がす逃がし弁６を有する。逃がし弁６は、空間５内の圧力が所定より小さい場合、閉鎖状態となり、空間５内の圧力が所定圧力以上になった場合、開放状態となる。したがって、空間５内の圧力は、所定圧力以下の圧力に維持される。
【００５３】
＜本実施形態の生体用水素ガス供給装置の特徴＞
本実施形態の生体用水素ガス供給装置３０１には、以下の特徴がある。
【００５４】
本実施形態の生体用水素ガス供給装置３０１では、第３実施形態と同様の効果が得られる。
【００５５】
本実施形態の生体用水素ガス供給装置３０１では、本体部１２が耳の内部に挿入されることにより耳に装着され、本体部１２に供給された水素ガスが外気に逃げるのを効果的に防止できる。
【００５６】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５７】
上述の第１及び第２実施形態では、水素供給部が、電解用の水を電気分解することにより水素ガスを発生させる水素発生装置を有する場合を説明したが、水素発生装置において、水素ガスを発生させる方法は変更してよい。上述の第３及び第４実施形態では、水素供給部（水素発生部材）が、金属マグネシウムなど水素発生材と、水とが封入されたカートリッジで構成された場合を説明したが、水素供給部（水素発生部材）の構成は変更してよい。したがって、水素発生材は、水と反応して水素ガスを発生させる材料であれば金属マグネシウム以外の材料であってよい。
【００５８】
上述の第１−第４実施形態では、２つの本体部を有する場合を説明したが、少なくとも１つの本体部を有するものであってよい。上述の第１−第４実施形態では、本体部が逃がし弁を有する場合を説明したが、本体部が逃がし弁を有しないものであってよい。上述の第１−第４実施形態では、水素ガスを供給する水素ガス供給装置を説明したが、酸素ガス等の医療用ガスを供給する供給装置であってよい。したがって、耳に装着される本体部と、本体部に酸素ガスを供給する酸素濃縮装置とを有した供給装置であってよい。
【産業上の利用可能性】
【００５９】
本発明を利用すれば、医療用ガスを効率的に患者に供給できる。
【符号の説明】
【００６０】
１、１０１、２０１、３０１  生体用水素ガス供給装置
２、１２  本体部
３  水素供給部
５  空間
６  逃がし弁
１３  水素供給部（水素発生部材）
【図１】
2018114234.tif 000003
【図２】
2018114234.tif 000004
【図３】
2018114234.tif 000005
【図４】
2018114234.tif 000006
【図５】
2018114234.tif 000007
【図６】
2018114234.tif 000008
【図７】
2018114234.tif 000009
【図８】
2018114234.tif 000010